(57)【要約】【課題】焼きたてのパンなどをピロー包装するための包装用フィルムが、通気性を有しつつ、衛生的に包装することができるようにする。【解決手段】本発明の包装用フィルムは、通気性のない長尺なフィルムシート１０にピンホール状の通気孔１１，１１…を多数形成し、この通気孔１１，１１…を覆う通気性のあるマスクシート２０を前記フィルムシート１０に一定のパターンの斑点状にスポットシール（符号１で示す）することによって貼着したものとする。前記多数の通気孔１１，１１…は、フィルムシート１０の長さ方向に１列または２列に形成され、前記マスクシート２０は、同じく１列または複数列に形成される。【選択図】  図２
2005014914.tif 000002
【特許請求の範囲】
【請求項１】
通気性のない長尺なフィルムシートの所定の部位にピンホール状の通気孔が多数形成され、
通気性のあるマスクシートが前記多数の通気孔を覆うように前記フィルムシートに貼着されていることを特徴とする包装用フィルム。
【請求項２】
前記多数の通気孔は、フィルムシートの長さ方向に１列または複数列の帯状に形成され、
前記マスクシートは、前記帯状の通気孔を覆うように１列または複数列の帯状に形成されていることを特徴とする請求項１に記載の包装用フィルム。
【請求項３】
前記通気孔は、フィルムシートの中心線を対称軸にして対称に形成されていることを特徴とする請求項２に記載の包装用フィルム。
【請求項４】
前記マスクシートは、熱によってフィルムシートに貼着される材質で形成されていることを特徴とする請求項１から３のいずれか一つに記載の包装用フィルム。
【請求項５】
前記マスクシートは、一定のパターンの斑点状にスポットシールされることによって前記フィルムシートに貼着されていることを特徴とする請求項１から４のいずれか一つに記載の包装用フィルム。
【発明の詳細な説明】
【０００１】
【発明の属する技術分野】
本発明は、食品などをピロー包装するための包装用フィルムに関し、特に、通気性を有する包装用フィルムに関する。
【０００２】
【従来の技術】
例えば、店舗内で焼かれたパンが、その店舗で販売される場合、焼きたてのパンは袋に収納されることなく、陳列棚上に並べられている。したがって、そのパンに人の手が触れたり、塵埃などが付着したりすることがあり、衛生面が十分配慮されているとはいえない。衛生的に陳列するため、焼きたてのパンを透明なプラスチック製の包装材に包装すると、焼きたてのパンは、熱を有していることから、包装材の内面に結露が発生し、パンを湿気らせてしまう。パンが冷（さ）めた状態で包装材に包装されると、焼きたての風味を味わうことができない。
【０００３】
そこで、焼きたてのパンを衛生的に販売し、しかも結露することなく収納することができるようにしたパン包装材が特許文献１に開示されている。
【０００４】
【特許文献１】
特開平８−２９５３６９号公報
【０００５】
【発明が解決しようとする課題】
特許文献１に開示されたパン包装材は、パンの出入口となる開放端を有するように三方シールされた四角形状の上面と底面とからなり、上面に開放端側から第１無孔帯、有孔帯、第２無孔帯が形成され、有効帯に直径０．０５〜０．５ｍｍの開孔が５〜１５ｍｍの間隔で形成されたことを特徴としている。
【０００６】
このようなパン包装材に焼きたてのパンが収納されることにより、客は不衛生に感じることがなく、また、有孔帯に形成された開孔によって、パンから発生した水分が外へ抜けるとともに、適量の蒸気が内部に残ることにより、パンは乾燥することがないようにされている。
【０００７】
しかし、このパン包装材は、開孔が直径０．０５〜０．５ｍｍの大きさに形成されているため、塵埃などがこの開孔からパン包装材の内部に進入し、パンに塵埃などが掛かることもあり、完全に衛生的に包装されているとはいえない。
【０００８】
そこで、本発明は、通気性を有しつつ、衛生的に包装することができるような包装材を製造するための包装用フィルムを提供することを課題とする。
【０００９】
【課題を解決するための手段】
本発明に係る包装用フィルムは、通気性のない長尺なフィルムシートの所定の部位にピンホール状の通気孔が多数形成され、通気性のあるマスクシートが前記多数の通気孔を覆うように前記フィルムシートに貼着されていることを特徴としている。
【００１０】
この包装用フィルムから焼きたてのパンのような被包装物をピロー包装する包装材が製造される。被包装物は、包装材に包装されることよって人の手などが触れないように陳列される。また、この包装材に包装された被包装物から水分が発生しても、この水分はフィルムシートの所定の部位に多数形成された通気孔および通気性のあるマスクシートから抜け出ることにより、包装材の内面に結露が発生することはなく、被包装物は乾燥した状態を維持することができる。さらに、多数の通気孔を塞ぐマスクシートがフィルムシートに貼着されていることにより、塵埃などは、マスクシートを透過することができず、包装材の内部の方へ侵入することができないため、被包装物に付着することがないようにすることができる。
【００１１】
また、前記包装用フィルムにおいて、前記多数の通気孔は、フィルムシートの長さ方向に１列または複数列の帯状に形成され、前記マスクシートは、前記帯状の通気孔を覆うように１列または複数列の帯状に形成されていることが好ましい。この包装用フィルムによれば、通気孔が帯状の領域に形成され、また帯状のマスクシートがこの通気孔を覆うことにより、効率的に包装用フィルムを製造することができる。この包装用フィルムはピロー包装機によって背貼り、あるいは合掌貼りされて包装材が製造されるが、この貼り合わされる方向と同じ方向に通気孔が形成され、この通気孔がマスクシートによって覆われる。なお、通気孔およびマスクシートの本数は、被包装物の種類によって任意に設定される。また、通気孔は、帯状の部分全幅に密に形成される場合の他、帯状の部分に散点的に疎に形成される場合もある。
【００１２】
また、前記包装用フィルムにおいて、前記通気孔は、フィルムシートの中心線を対称軸にして対称に形成されていることが好ましい。この包装用フィルムによれば、通気孔を覆うマスクシートがフィルムシートの中心線を対称軸として対称に貼着されることにより、包装用フィルムをロール状に巻き取ったときに、偏肉が生じないようにすることができる。
【００１３】
また、前記包装用フィルムにおいて、前記マスクシートは、熱によってフィルムシートに貼着される材質で形成されていることが好ましい。この包装用フィルムによれば、マスクシートが熱によってフィルムシートに貼着されることにより、衛生的かつ効率的に包装用フィルムを製造することができる。
【００１４】
また、前記包装用フィルムにおいて、前記マスクシートは、一定のパターンの斑点状にスポットシールされることによって前記フィルムシートに貼着されていることが好ましい。この包装用フィルムによれば、マスクシートは、斑点状のスポットシールによってフィルムシートに貼着されていることにより、皺などが生じないようにフィルムシートに貼着され、しかもその貼着によって潰されるフィルムシートの通気孔を必要最小限とすることができる。
【００１５】
【発明の実施の形態】
本発明に係る包装用フィルムの実施形態を図１ないし図４を参照しながら説明する。
【００１６】
本実施形態の包装用フィルムは、長尺な通気性のないフィルムシート１０の長さ方向に、ピンホール状の通気孔１１，１１…を多数形成し、この通気孔１１，１１…を覆うように通気性のあるマスクシート２０が前記フィルムシート１０に貼着されていることを特徴としている。したがって、通気孔１１，１１…はマスクシート２０によって、通気性を有しつつ塞がれた状態となり、塵埃などが通り抜け出ないようにされている。
【００１７】
そして、フィルムシート１０は、例えばポリプロピレンのようなプラスチックフィルムによって形成される。また、通気孔１１，１１…は、例えばローラの外周面に突設された多数のピン（図示せず）が、加熱され、搬送されてくるフィルムシート１０上で回転することによって直径が例えば約５０〜９００μｍ、好ましくは２００〜３００μｍに形成される。あるいは、通気性を必要に応じて確保するため、フィルムシート１０を打ち抜くことにより、約１〜３ｍｍ程度の通気孔１１，１１…が形成される。
【００１８】
このような多数の通気孔１１，１１…は例えば図１に示すように、フィルムシート１０の中心線１２上に１本の帯状の領域内に形成され、あるいは図３に示すように、フィルムシート１０の中心線１２を対称軸に２本の帯状の領域内に対称に形成される。さらに、多数の通気孔１１，１１…は図示しないが、フィルムシート１０の全面に形成し、あるいはフィルムシート１０の中心線１２を対称軸として３本以上の帯状に形成してもよい。いずれにしても、通気孔１１，１１…を形成する部分の幅は、被包装物の種類に応じて、通気孔１１，１１…を形成しない部分の幅と同じ、あるいは狭くされ、あるいは広く形成される。また、通気孔１１，１１…は、図１および図３に示すように帯状の部分の全幅に密に形成される場合や、図示しないが帯状の部分に散点的に疎に形成される場合など任意に設定される。
【００１９】
他方、マスクシート２０は、例えば１００μｍ以下の微細孔によって通気性を有し、さらに熱によってフィルムシート１０に溶着することができる不織布、例えばスパンボンドによって形成される。このようなマスクシート２０も多数の通気孔１１，１１…を形成した部分と同じ幅、好ましくは若干、広い幅で１本または２本以上の帯状に形成され、多数の通気孔１１，１１…を覆うようにフィルムシート１０に熱によって貼着される。マスクシート２０を熱によってフィルムシート１０に貼着することにより、包装用フィルムを衛生的かつ効率的に製造することができる。
【００２０】
この熱による貼着は図２および図４に示すように、一定のパターンの斑点状のスポットシールによって行う（符号１で示す）。スポットシールされることにより、フィルムシート１０に形成された通気孔１１，１１…は、潰されるものの、その潰される数を必要最小限とし、そして、マスクシート２０は、皺が生じないでフィルムシート１０から外れないようにすることができる。
【００２１】
このようにフィルムシート１０にマスクシート２０を貼着することによって製造された包装用フィルムは、ロール状に巻かれ、ピロー包装機を有している包装業者へ出荷される。包装用フィルムは、マスクシート２０を貼着した部分がマスクシート２０を貼着していない部分よりも厚くなる。しかし、マスクシート２０がフィルムシート１０の中心線１２を対称軸として貼着されることにより、包装用フィルムは、偏肉が生じないようにロール状に巻き取られる。また、フィルムシート１０とマスクシート２０とがスポットシールされることにより、マスクシート２０に皺が生じないようにロール状に巻き取られる。
【００２２】
そして、包装用フィルムは、ピロー包装機によって包装材に成形される。すなわち、包装用フィルムは、製袋機（フォーマ）（図示せず）によって筒状に成形され、両側縁部が重ねあわされて背貼り、または合掌貼りされる。包装用フィルムは、偏肉せず、また皺のない状態でロール状に巻き取られていることにより、所期の状態に筒状に成形され、背貼り、または合掌貼りされる。そして、筒状にシールされた包装用フィルム内に焼きたてのパンやシュークリーム、その他の被包装物が供給された後、一定の間隔ごとに帯状にシールされ、そのシールされた部分が切断されると、被包装物が包装材に包装された状態となる。
【００２３】
被包装物が焼きたてのパンのように水分を発生するものであっても、この水分は、通気孔１１，１１…およびマスクシート２０から外部に抜け出ることにより、被包装物は湿気ることがなく、パリパリ感を味わうことができる。また、被包装物が陳列棚に並べられたときは、食品用包装材に包装されているため、人の手などに触れられることがないだけでなく、マスクシート２０によって塵埃などが包装材の内部に侵入することがないため、衛生上好ましい状態に置かれる。
【００２４】
なお、本発明は、前記の発明の実施の形態に限定することなく、特許請求の範囲に記載した技術的事項の範囲内において種々変更することができる。例えば、多数の通気孔１１，１１…は、フィルムシート１０の長さ方向に一定の間隔ごとに、換言すればストライプ状に形成してもよいし、あるいは千鳥掛けやジグザク状に形成してもよい。また、多数の通気孔１１，１１…が複数列の帯状に形成されていても、マスクシート２０はフィルムシート１０の全幅に１列で貼着するようにしてもよい。
【００２５】
また、マスクシート２０は、多数の通気孔１１，１１…が形成されている部分の幅よりも若干広い幅とし、通気孔１１，１１…を潰さないように両側縁を連続してフィルムシート１０に貼着するようにしてもよい。さらに、マスクシート２０は、被包装物に影響を及ぼさない接着剤によってフィルムシート１０に貼着してもよい。
【００２６】
【発明の効果】
本発明によれば、包装用フィルムが、ピンホール状の通気孔を多数形成した長尺なフィルムシートと、前記通気孔を覆う通気性のあるマスクシートとを貼着したものとしたことにより、この包装用フィルムから製造される包装材に包装されたパンやシュークリームなどの被包装物から発生した水分が多数のピンホール状の通気孔および通気性のあるマスクシートによって、外部に抜け出るため、被包装物が湿気ることなく、パリパリ感を味わうことができる。さらに、多数の通気孔が通気性のあるマスクシートによって覆われていることにより、塵埃などが包装材の内部に侵入することがないため、被包装物は衛生的に陳列される。
【図面の簡単な説明】
【図１】本発明に係る包装用フィルムの一実施形態を示す分解斜視図
【図２】本発明に係る包装用フィルムの一実施形態を示す斜視図
【図３】本発明に係る包装用フィルムであって、図１および図２と異なる実施形態を示す分解斜視図
【図４】本発明に係る包装用フィルムであって、図３の実施形態を示す斜視図
【符号の説明】
１……スポットシール
１０……フィルムシート
１１……通気孔
１２……中心線
２０……マスクシート
【図１】
2005014914.tif 000003
【図２】
2005014914.tif 000004
【図３】
2005014914.tif 000005
【図４】
2005014914.tif 000006